(57)【要約】【課題】リヤカバーの両端部を上下位置調整自在にして、リヤカバーによる畝立て高さを変更できる管理機を提供する。【解決手段】走行部２に支持されるロータリカバー２９の後端にリヤカバー３５を設け、該リヤカバー３５の上端中央部を上記ロータリカバー２９の後端中央部に固定し、上記リヤカバー３５の上端両側部を上記ロータリカバー２９の後端両側部に上下位置調整自在に取付ける取付部材３６を備える。【選択図】図４
2013000038.tif 000002
【特許請求の範囲】
【請求項１】
走行車輪を有する走行部の後方にロータリを配置し、該ロータリの上方を覆うロータリカバーを備える管理機において、
該ロータリカバーの後端部に設けられて弾性変形自在なリヤカバーと、
該リヤカバーの後方に設けられて、該リヤカバーの所定位置を押さえることで前記リヤカバーの後方への弾性変形を妨げる後方部材と、
前記リヤカバーの上端中央部を前記ロータリカバー後端中央部に固定し、前記リヤカバーの上端両側部を前記ロータリカバーの後端両側部に上下位置調整自在に取付ける取付部材と、
を備えることを特徴とする管理機。
【請求項２】
前記リヤカバーが前記ロータリの軸方向に並設される２枚の弾性板状部材から構成され、前記取付部材が前記２枚の弾性板状部材の上端辺に沿って各々配置される２枚のプレートからなり、
前記２枚のプレートを、前記２枚のプレートの前記ロータリカバー中央側の一端を各々支点として、他端を上下位置調整自在に設けた、
ことを特徴とする請求項１記載の管理機。
【発明の詳細な説明】
【技術分野】
【０００１】
本発明は、走行車輪を有する機体の後方にロータリを配置した管理機に係り、詳しくは、ロータリカバーの後部に配置されるリヤカバーの構造に関する。
【背景技術】
【０００２】
従来、機体の後方に複数の耕耘爪からなるロータリを配置し、該ロータリの上方をロータリカバーで覆って、該ロータリカバーの後端辺に取付プレートによって耕耘土を均すリヤカバーを固定する管理機が知られている。
【０００３】
前記管理機では、弾性変形自在なリヤカバーの後方近傍に該リヤカバーの中央部所定位置を押さえつけて弾性変形を妨げる後方部材を備えた管理機が知られている。該管理機は、作業者が機体を前進させると、前記後方部材によって前記リヤカバーの中央部は弾性変形せず両側部が耕耘土の圧力によって後方に退避回動するため、前記リヤカバーが簡易な培土器の機能を果たし、耕耘作業と畝立て作業を同時に行うことが出来る（特許文献１及び２参照）。
【先行技術文献】
【特許文献】
【０００４】
【特許文献１】特願２０１０−２１１９４２号公報
【特許文献２】特願２０１０−２５８９６７号公報
【発明の概要】
【発明が解決しようとする課題】
【０００５】
しかしながら、上記特許文献１及び２記載の管理機は、前記ロータリカバー後端辺に沿って配置される取付プレートによって前記リヤカバーをロータリカバーに固定していたので、耕耘土の圧力によって退避回動するリヤカバーの両側部の曲げ角度は一定であり、かつ確実な畝立てを行うには曲げ角度が不十分であった。すなわち、リヤカバーによって耕耘作業と畝立て作業を同時に行う際に、畝立て高さは常に一定であって、またしっかりした畝を立てるのは困難であった。
【０００６】
そこで、本発明は、リヤカバーの取付位置を変更することにより、簡易な構造にて所望の畝立てを可能とし、もって上記課題を解決した管理機を提供することを目的とするものである。
【課題を解決するための手段】
【０００７】
本発明は、上述事情に鑑みなされたものであって、走行車輪（６）を有する走行部（２）の後方にロータリ（３）を配置し、該ロータリ（３）の上方を覆うロータリカバー（２９）を備える管理機（１）において、
該ロータリカバー（２９）の後端部に設けられて弾性変形自在なリヤカバー（３５）と、
該リヤカバーの（３５）後方に設けられて、該リヤカバー（３５）の所定位置を押さえることで前記リヤカバー（３５）の後方への弾性変形を妨げる後方部材（３３ｃ）と、
前記リヤカバー（３５）の上端中央部（４０，４０）を前記ロータリカバー後端中央部に固定し、前記リヤカバーの上端両側部（３７，３７）を前記ロータリカバーの後端両側部に上下位置調整自在に取付ける取付部材（３６，３６）と、
を備えることを特徴とする。
【０００８】
例えば図４，図５を参照して、前記リヤカバー（３５）が前記ロータリ（３）の軸方向に並設される２枚の弾性板状部材（３５ａ，３５ａ）から構成され、前記取付部材（３６，３６）が前記２枚の弾性板状部材（３５ａ，３５ａ）の上端辺に沿って各々配置される２枚のプレート（３６，３６）からなり、
前記２枚のプレート（３６，３６）を、前記２枚のプレート（３６，３６）の前記ロータリカバー（２９）中央側の一端（４０，４０）を各々支点として、他端（３７，３７）を上下位置調整自在に設ける。
【０００９】
なお、上述カッコ内の符号は、図面と対照するものであるが、何ら本発明の構成を限定するものではない。
【発明の効果】
【００１０】
請求項１に係る本発明によると、ロータリカバー後端に取付けられるリヤカバーを、その上端中央部を前記ロータリカバーに固定し、上端両側部を上下位置調整自在に前記ロータリカバーに取付けたので、前記リヤカバーの中央後方から後方部材で押さえつけてリヤカバーを簡易の培土器として使用する際に、リヤカバー両側部の取付け位置を変えることでリヤカバーの曲げ角度が変わり、簡易な構造で畝立ての高さを変更することができる。
【００１１】
請求項２に係る本発明によると、２枚の弾性板状部材をロータリの軸方向にリヤカバーとして並設し、各弾性板状部材の上端辺をプレートによってロータリカバーに取付け、前記プレートの前記ロータリカバー中央側の一端を固定し、他端を上下位置調整自在に設けたので、畝高さの調整幅を大きくすることができ、確実に畝立てを行うことができる。
【図面の簡単な説明】
【００１２】
【図１】本発明の実施の形態による管理機を示す左側面図。
【図２】（Ａ）は、無段階のハンドル調整構造を示す平面図、（Ｂ）は、その回動合せ面を示す断面図。
【図３】ハンドル回動部にクイックリリースを用いたことを示す部分平面図。
【図４】２枚の弾性板状部材からなるリヤカバーの取付構造を示す後面図。
【図５】そのリヤカバーの両側部を上方に傾けた状態を示す後面図。
【図６】１枚の弾性板状部材からなるリヤカバーの取付構造を示す後面図。
【発明を実施するための形態】
【００１３】
以下、図面に沿って、本発明の実施の形態について説明する。なお、以下の説明における方向は、歩行型管理機で作業を行っている際の作業者を基準とする。
【００１４】
管理機１は、図１に示すように、走行部２の後方にロータリ３が配置され、上記走行部２とロータリ３が一体的に構成されている。上記走行部２は、車軸５を介して駆動輪である左右一対の走行車輪６に支持されると共に、該走行車輪６に支持される機体フレーム７上にエンジン９と、変速機構を有するミッションケース１０と、燃料タンク１１と、を搭載している。また、上記走行部２の左側面には、上記エンジン９の動力を上記ミッションケース１０に伝達するベルト伝動機構１２が配置され、該ベルト伝動機構１２の上方には上記エンジン９からの排気ガスを排出するマフラ１３が配置されている。
【００１５】
上記走行部２の上部後端からは、ハンドルフレーム１５が突設されており、該ハンドルフレーム１５から該走行部２の走行方向を操作する平面視ループ状をなすハンドル１６が上下回動自在に延設されている。上記ハンドルフレーム１５内には複数の調整孔が設けられ、上記ハンドル１６に備えたピンを上記調整孔に嵌合することで段階的に位置決めし、上記ハンドル１６の上下位置調整が行われる。
【００１６】
なお、上記ハンドル１６の上下位置調整は、図２（Ａ）に示すように、ハンドルフレーム１５及びハンドル１６にそれぞれホルダ１７の一端を溶接し、２つのホルダ１７の他端側を高摩擦板１９を挟んで左右方向に合わせて回動合せ面１７ａ，１７ａを形成して、上記ホルダ１７の上記回動合せ面１７ａの左右方向反対面をボルト２０及びナット２１で締め付けることで無段階に調整できるようにしてもよい。上記回動合せ面１７ａは、図２（Ｂ）に示すように、中央部に穴１７ｂが開いた円形となっており、その合せ面部分（図２（Ｂ）の斜線部）は高摩擦処理が施されている。
【００１７】
また、上記ハンドル１６の上下位置調整を、図３に示すように、上記ハンドルフレーム１５の両側部に菊座２２を溶接し、上記菊座２２に噛合するように菊座２３をハンドル１６にも配置して、上記菊座２２及び２３と同軸上にクイックリリース２４を備えることで回動部を締め付けて調整できるようにしてもよい。上記クイックリリース２４は、ハンドル回動部である上記ハンドル１６，菊座２３，菊座２２，ハンドルフレーム１５を貫通する軸と、該軸の一端に設けられたレバー２５と、によって構成され、上記レバー２５で開閉を行う。上記レバー２５の根元はカム機構になっているため、レバー２５を倒すだけで軸方向に圧力が生まれ全体を固定することができる。
【００１８】
一方、ロータリ３は、図１に示すように、上記ミッションケース１０から左右方向に延設されたロータリ軸２６と、該ロータリ軸２６に固定されて圃場を耕すロータリ爪２７と、を有し、該ロータリ爪２７は、上記ロータリ軸２６の周囲に多数装着され一体に回転する。
【００１９】
上記ロータリ３の上方には、該ロータリ３を覆うようにロータリカバー２９が上記機体フレーム７に固定されて配置されている。上記ロータリカバー２９の後部には、圃場を滑走することでロータリ３の耕耘深さを規制する尾ソリ３１が上下位置調整自在に設けられており、該尾ソリ３１を囲むように上記ロータリカバー２９に取付けられたコ字状ブラケット３２を介して、尾輪体３３の支持アーム３３ａが上下位置調整自在に設けられている。上記支持アーム３３ａの上記ブラケット３２と反対側の一端には、尾輪３３ｂが上下回動自在に設けられて、圃場外のコンクリート路やアスファルト路上を路面移動できるようになっていると共に、プレートからなる後方部材３３ｃが設けられ、後述するリヤカバーの所定位置を押さえて弾性変形を妨げることができるようになっている。
【００２０】
図４に示すように、上記ロータリカバー２９の後端部には例えば硬質ゴムからなる弾性変形自在のリヤカバー３５が配置されている。上記リヤカバー３５は２枚の略々台形状の弾性部材３５ａ，３５ａからなり、上記ロータリカバー２９の後端辺を左右に等分したときにそれらに上記台形状の弾性部材３５ａ，３５ａの上底辺が略々一致するように取付プレート３６，３６により取付けられて、上記弾性部材３５ａ，３５ａは、後面視中央部が重なり全体では略々矩形状からなる。
【００２１】
上記取付プレート３６，３６は、左右方向に長い板状部材からなり、長手方向両端部がボルトによって上記ロータリカバー２９に取付けられている。上記ロータリカバー２９の、上記取付プレート３６，３６を取付けるボルトのうち、上記ロータリカバー２９側方側に位置する２本のボルト３７，３７の上方所定位置には調整孔３９，３９が穿設されている。該調整孔３９，３９は、上記取付プレート３６，３６を取付けるボルトのうちロータリカバー２９中央側の２本のボルト４０，４０をそれぞれ支点として、上記取付プレート３６，３６を上方に回転して、ボルト３７，３７が上記調整孔３９，３９に嵌合できるように設ける。
【００２２】
また、上記ボルト３７，３７のボルト穴及び上記調整孔３９，３９のロータリ爪２７側には、不図示のＰナットがそれぞれ溶接され、上記ボルト３７，３７の上記調整孔３９，３９への付け替えが容易となっている。
【００２３】
なお、調整孔は左右一つずつではなくてもよく、上記ボルト４０，４０を支点として取付プレート３６，３６を回転したときに、上記ボルト３７，３７が嵌合できる位置にあるならば複数でもよい。
【００２４】
本実施の形態は以上のような構成からなるので、管理機１は、エンジン９の出力により走行車輪６及びロータリ爪２７が回転して走行すると共に、土を耕耘して膨軟にする。この際、予め尾ソリ３１の上下方向の位置を、作業者の身長、土壌の質等により調整して、耕耘深さを設定する。
【００２５】
耕耘作業のみを行う場合には、上記尾輪３３ｂを圃場に接しないように上方に位置決めすると共に、支持アーム３３ａの下端に備える後方部材３３ｃが上記リヤカバー３５の弾性変形を妨げる事のないように上記支持アーム３３ａも上方に位置決めしておく。これにより、耕耘作業を行った際に、耕耘土の圧力によって上記リヤカバー３５が後方に退避回動するが、その接地面によって圃場を均平にする。
【００２６】
耕耘作業と簡易な畝立て作業を同時に行う場合には、上記尾輪３３ｂを圃場に接しないように上方に位置決めすると共に、上記後方部材３３ｃを上記リヤカバー３５の所定位置を押さえつけて中央部の弾性変形を妨げるように配置する。これにより、耕耘作業を行った際に、上記後方部材３３ｃによって上記リヤカバー３５の中央部は弾性変形せず両端部が耕耘土の圧力によって後方に退避回動するため、上記リヤカバー３５が簡易な培土器の機能を果たし、耕耘作業と畝立て作業を同時に行うことが出来る。
【００２７】
さらに、図５に示すように、上記ボルト３７，３７を上記調整孔３９，３９に嵌合して、上記リヤカバー３５，３５のロータリカバー２９側方側を上記ボルト４０，４０に対して上方に傾けることで、耕耘土の圧力によって退避回動するリヤカバー３５，３５の曲げ角度が変わり、高い畝を立てることができ、確実に畝立てを行うことができる。
【００２８】
なお、リヤカバーは２枚の弾性板状部材からならなくても、図６に示すように、１枚の矩形状の弾性板状部材３５ａからなってもよい。その場合は該弾性板状部材３５ａの一辺がロータリカバー２９の後端辺の長さと略々等しくなり、上述のリヤカバー３５が２枚の弾性板状部材３５ａ，３５ａからなる場合（図５参照）と同様に、１枚の弾性板状部材３５ａは取付プレート３６，３６によって側方が上下位置調整自在に取付けられる。該弾性板状部材３５ａ側方の上下位置調整によって、上記弾性板状部材３５の曲げ角度が変わり、畝立て高さを変更することができる。
【符号の説明】
【００２９】
１  管理機
２  走行部
３  ロータリ
９  エンジン
１０  ミッションケース
２９  ロータリカバー
３３ｃ  後方部材
３５  リヤカバー
３５ａ，３５ａ  弾性板状部材
３６，３６  取付プレート
３９，３９  調整孔
【図１】
2013000038.tif 000003
【図２】
2013000038.tif 000004
【図３】
2013000038.tif 000005
【図４】
2013000038.tif 000006
【図５】
2013000038.tif 000007
【図６】
2013000038.tif 000008